【手続補正書】
【提出日】平成30年5月15日(2018.5.15)
【手続補正１】
【補正対象書類名】特許請求の範囲
【補正対象項目名】全文
【補正方法】変更
【補正の内容】
【特許請求の範囲】
【請求項１】
空冷プラズマ切断トーチであって、
ワークピースを切断するためのプラズマジェットの発生源であるハフニウム挿入体を有する電極と、
円筒部と、該円筒部の下流にある円錐台部とを有するノズルであって、該円錐台部は遠位端面に直接遷移し、前記円錐台部はのどを有し、前記プラズマジェットは切断の間に該のどを通過し、前記円筒部は、前記電極の少なくとも一部が位置する空洞を形成し、前記電極と前記円筒部との間に間隙が形成され、前記円錐台部は、前記ノズルの中心線に対して３０〜６０°の範囲の角度で傾斜された外側傾斜面を有し、前記のどは前記空洞を前記遠位端面に連結する、ノズルと、
円筒部と、端面を含む円錐台部とを有するシールドキャップであって、該シールドキャップの円錐台部は前記端面を通る孔を有し、前記プラズマジェットは切断の間に該孔を通り、該円錐台部は前記端面に直接遷移する、シールドキャップと、
を含み、
前記シールドキャップの円筒部は前記ノズルの円筒部の少なくとも一部が挿入される空洞を形成し、前記ノズルと前記シールドキャップとの間に間隙が形成され、前記シールドキャップの円錐台部は内側傾斜面を有し、該内側傾斜面は、前記内側傾斜面と前記外側傾斜面との間の間隙が下流方向に減少するように、前記シールドキャップの中心線に対して、前記ノズルの前記外側傾斜面の前記角度よりも大きな角度で傾斜されている、空冷プラズマ切断トーチ。
【請求項２】
前記外側傾斜面の前記角度の範囲は４０〜５０°である、請求項１に記載の空冷プラズマ切断トーチ。
【請求項３】
前記のどは前記のどへの入口から前記のどの出口までの長さを有し、前記のどの直径に対する該長さの比の範囲は３〜４．５であるか又は３〜４であり、該直径は前記のどの最小直径である、請求項１又は２に記載の空冷プラズマ切断トーチ。
【請求項４】
前記のどの長さに沿った最大電圧低下は、前記空冷プラズマ切断トーチの動作電流に関わらず２０ボルト又は５〜１５ボルト又は５ボルト未満であり、該長さは前記のどの入口から前記のどの出口までの長さである、請求項１乃至３のいずれか一項に記載の空冷プラズマ切断トーチ。
【請求項５】
前記空冷プラズマ切断トーチの動作電流の範囲は４０〜１００アンペアである、請求項４に記載の空冷プラズマ切断トーチ。
【請求項６】
前記のどは第１の直径を有する入口と、第２の直径を有する出口とを含み、該第２の直径に対する該第１の直径の比の範囲は１．５〜４である、請求項１乃至５のいずれか一項に記載の空冷プラズマ切断トーチ。
【請求項７】
前記孔は、前記のどの最大直径の１．２５〜４．１倍又は１．７５〜２．５倍の直径を有する、請求項１乃至６のいずれか一項に記載の空冷プラズマ切断トーチ。
【請求項８】
前記孔の直径は、前記のどの出口における前記のどの直径よりも大きい、請求項１乃至７のいずれか一項に記載の空冷プラズマ切断トーチ。
【請求項９】
前記内側傾斜面の角度の範囲は３５〜７０°又は４５〜６０°である、請求項１乃至８のいずれか一項に記載の空冷プラズマ切断トーチ。
【請求項１０】
前記内側傾斜面と前記外側傾斜面との間の前記間隙の最大距離の範囲は０．０３〜０．０５インチ（０．７６２〜１．２７ｍｍ）である、請求項１乃至９のいずれか一項に記載の空冷プラズマ切断トーチ。
【請求項１１】
前記内側傾斜面と前記外側傾斜面との間の間隙の幅は、該間隙の最も幅広な部分から該間隙の最も幅狭な部分にかけて３０〜６０％減少する、請求項１乃至１０のいずれか一項に記載の空冷プラズマ切断トーチ。
【請求項１２】
前記ノズルは、前記空冷プラズマ切断トーチを１００アンペアで持続的に用いた場合に前記ノズルの前記円筒部には伸長しない熱バンドを有し、該熱バンドにおいて前記ノズルの平均温度は３５０℃である、請求項１乃至１１のいずれか一項に記載の空冷プラズマ切断トーチ。
【請求項１３】
空冷プラズマ切断トーチであって、
ワークピースを切断するためのプラズマジェットの発生源であるハフニウム挿入体を有する電極と、
円筒部と、該円筒部の下流にある円錐台部とを有するノズルであって、該円錐台部は遠位端面に直接遷移し、前記円錐台部はのどを有し、前記プラズマジェットは切断の間に該のどを通過し、前記円筒部は、前記電極の少なくとも一部が位置する空洞を形成し、前記電極と前記円筒部との間に間隙が形成され、前記円錐台部は、前記ノズルの中心線に対して３０〜６０°の範囲の角度で傾斜された外側傾斜面を有し、前記のどは前記空洞を前記遠位端面に連結する、ノズルと、
円筒部と、端面を含む円錐台部とを有するシールドキャップであって、該シールドキャップの円錐台部は前記端面を通る孔を有し、前記プラズマジェットは切断の間に該孔を通り、該円錐台部は前記端面に直接遷移する、シールドキャップと、
を含み、
前記シールドキャップの円筒部は前記ノズルの円筒部の少なくとも一部が挿入される空洞を形成し、前記ノズルと前記シールドキャップとの間に間隙が形成され、前記シールドキャップの円錐台部は内側傾斜面を有し、該内側傾斜面は、前記内側傾斜面と前記外側傾斜面との間の間隙が下流方向に減少するように、前記シールドキャップの中心線に対して、前記ノズルの前記外側傾斜面の前記角度よりも大きい角度で傾斜され、
前記のどは、前記のどへの入口から前記のどの出口までの長さを有し、前記のどの直径に対する該長さの比の範囲は３〜４．５であり、該直径は前記のどの最小直径であり、
前記孔は、前記のどの最小直径の１．２５〜４．１倍の直径を有し、
前記内側傾斜面の角度の範囲は３５〜７０°であり、
前記内側傾斜面と前記外側傾斜面との間の前記間隙の最大距離の範囲は０．０３〜０．０５インチ（０．７６２〜１．２７ｍｍ）である、空冷プラズマ切断トーチ。
【請求項１４】
空冷プラズマ切断トーチであって、
ワークピースを切断するためのプラズマジェットの発生源であるハフニウム挿入体を有する電極と、
円筒部と、該円筒部の下流にある円錐台部とを有するノズルであって、該円錐台部は遠位端面に直接遷移し、前記円錐台部はのどを有し、前記プラズマジェットは切断の間に該のどを通過し、前記円筒部は、前記電極の少なくとも一部が位置する空洞を形成し、前記電極と前記円筒部との間に間隙が形成され、前記円錐台部は、前記ノズルの中心線に対して３０〜６０°の範囲の角度で傾斜された外側傾斜面を有し、前記のどは前記空洞を前記遠位端面に連結する、ノズルと、
円筒部と、端面を含む円錐台部とを有するシールドキャップであって、該シールドキャップの円錐台部は前記端面を通る孔を有し、前記プラズマジェットは切断の間に該孔を通り、該円錐台部は前記端面に直接遷移する、シールドキャップと、
を含み、
前記シールドキャップの円筒部は前記ノズルの円筒部の少なくとも一部が挿入される空洞を形成し、前記ノズルと前記シールドキャップとの間に間隙が形成され、前記シールドキャップの円錐台部は内側傾斜面を有し、該内側傾斜面は、前記内側傾斜面と前記外側傾斜面との間の間隙が下流方向に減少するように、前記シールドキャップの中心線に対して、前記ノズルの前記外側傾斜面の前記角度よりも大きい角度で傾斜され、
前記のどは、前記のどへの入口から前記のどの出口までの長さを有し、前記のどの直径に対する該長さの比の範囲は３〜４．５であり、該直径は前記のどの最小直径であり、
前記孔は、前記のどの最小直径の１．２５〜４．１倍の直径を有し、
前記内側傾斜面の角度の範囲は３５〜７０°であり、
前記内側傾斜面と前記外側傾斜面との間の前記間隙の最大距離の範囲は０．０３〜０．０５インチ（０．７６２〜１．２７ｍｍ）であり、
前記内側傾斜面と前記外側傾斜面との間の間隙の幅は、該間隙の最も幅広な部分から該間隙の最も幅狭な部分にかけて３０〜６０％減少し、
前記ノズルは、当該空冷プラズマ切断トーチを１００アンペアで持続的に用いた場合に前記ノズルの前記円筒部には伸長しない熱バンドを有し、該熱バンドにおいて前記ノズルの平均温度は３５０℃である、空冷プラズマ切断トーチ。